(57)【要約】【課題】容易な作業でミストノズルをノズルホルダに固定でき、前パネルに設けたノズル用開口孔が目立ち難く、機器ケーシングへの前パネルの装着が容易に行えるミスト噴霧装置の提供。【解決手段】湯水を噴霧するミストノズルの先端を、機器ケーシングを下方から覆う前パネルに設けたノズル用開口孔を挿通して配置し、鉛直方向に形成されたノズル挿入口とその外周外側に鉛直方向に形成されたネジ孔とを具備するノズルホルダを機器ケーシング内に水平方向に移動可能に備え、ミストノズルにその先端部より大径のノズル基部を形成し、ノズル挿入口に挿入されたノズル基部がネジ孔に螺入された固定ネジによってノズル挿入口に係止されてミストノズルがノズルホルダに止着され、前パネルを機器ケーシングに接近させたときにミストノズルの先端のノズル用開口孔への挿通を誘導する挿通ガイド部をノズル用開口孔の周囲に備える。【選択図】図７
2014045923.tif 000002
【特許請求の範囲】
【請求項１】
ミストサウナ用の湯水を噴霧するミストノズルの先端が、機器ケーシングを下方から覆う前パネルに設けたノズル用開口孔に挿通されて浴室内に臨んで配置されたミスト噴霧装置であって、
鉛直方向に形成されたノズル挿入口とこのノズル挿入口の外周外側に鉛直方向に形成されたネジ孔とを具備するノズルホルダを、前記機器ケーシング内に水平方向に移動可能に備えると共に、前記ミストノズルにはその先端部より大径に構成されたノズル基部が形成され、
前記ノズル挿入口に挿入された前記ノズル基部が、前記ネジ孔に螺入された固定ネジによって前記ノズル挿入口に係止されて、前記ミストノズルが前記ノズルホルダに止着され、
前記前パネルには、前記機器ケーシングの下方から前記前パネルを前記機器ケーシングに接近させたときに前記ミストノズルの先端の前記ノズル用開口孔への挿通を誘導する挿通ガイド部を、前記ノズル用開口孔の周囲に備えたことを特徴とするミスト噴霧装置。
【請求項２】
前記ミストノズルが前記ノズル用開口孔を挿通する箇所における、前記ミストノズルの底面視断面形状が、前記ノズル用開口孔の底面視形状と相似であることを特徴とする請求項１に記載のミスト噴霧装置。
【請求項３】
前記ミストノズルが前記ノズル用開口孔を挿通する箇所において、前記ミストノズルと前記ノズル用開口孔の周縁との隙間が、前記前パネルの板厚より小さいことを特徴とする請求項２に記載のミスト噴霧装置。
【請求項４】
前記ノズル挿入口に挿入された前記ノズル基部が、前記固定ネジのネジ頭によって前記ノズル挿入口に係止されて、前記ミストノズルが前記ノズルホルダに止着されることを特徴とする請求項１から請求項３の何れかに記載のミスト噴霧装置。
【発明の詳細な説明】
【技術分野】
【０００１】
本発明は、ミスト噴霧装置に関し、詳しくは、ミストサウナ用の湯水を噴霧するミストノズルの先端が、機器ケーシングを下方から覆う前パネルに設けたノズル用開口孔に挿通されて浴室内に臨んで配置されたミスト噴霧装置に関するものである。
【背景技術】
【０００２】
上記のようなミスト噴霧装置として、ノズルホルダに設けられたノズル挿入口に、ミストノズルの先端部より大径に構成されたミストノズルの基部が挿入されて、ミストノズルの基部がノズル挿入口に挿入された状態で、固定ネジを固定用ネジ孔にねじ込んで、固定ネジのネジ頭を、ミストノズルの先端部とミストノズルの基部との段差により形成されるつば部に係止させることで、ミストノズルがノズルホルダに対して抜けないように固定するように構成されたミスト噴霧装置が知られている（例えば、特許文献１参照）。
【先行技術文献】
【特許文献】
【０００３】
【特許文献１】特開２００８−１１００２２号公報
【発明の概要】
【発明が解決しようとする課題】
【０００４】
特許文献１のミスト噴霧装置においては、簡単な構成でミストノズルをノズルホルダに固定できるものであるが、ミストノズルの先端の噴霧口が鉛直線に対して傾いているため、上記固定用ネジ孔も鉛直線に対して傾き固定ネジを固定用ネジ孔にねじ込む際のねじ込み方向も鉛直線に対して傾くことになる。そのため、固定ネジを固定用ネジ孔にドライバーなどの工具を用いてねじ込む際に、ドライバーなどの工具の回転軸が上記固定用ネジ孔の中心軸とずれてしまい易く、上記固定ネジの中心軸と上記固定用ネジ孔の中心軸とを一致させるようにするためには熟練が必要であり、作業の容易化が望まれるものであった。
【０００５】
また、ミストノズルの先端を、機器ケーシングを下方から覆う前パネルに設けたノズル用開口孔から浴室内に臨んで配置する場合に、前パネルに設けたノズル用開口孔を目立ち難いものとするためには、前パネルに設けたノズル用開口孔とミストノズルとの隙間が小さくなるように構成することになるが、この場合、前パネルを機器ケーシングに装着するために、前パネルを機器ケーシングの下方から接近させたときに、前パネルに設けたノズル用開口孔とミストノズルとの隙間が小さい場合には前パネルに設けたノズル用開口孔周辺の前パネル構成体とミストノズルが当接、干渉して、前パネルを機器ケーシングに装着し難い事態が生じてしまい、施工性が悪いものとなってしまう惧れがあった。
【０００６】
本発明は、かかる点に着目してなされたものであり、その目的は、容易な作業でミストノズルを機器ケーシング内に備えるノズルホルダに固定でき、かつ、前パネルに設けたノズル用開口孔が目立ち難い美麗な意匠とすることができ、しかも、機器ケーシングへの前パネルの装着が容易に行えるミスト噴霧装置を提供する点にある。
【課題を解決するための手段】
【０００７】
この目的を達成するために、本発明によるミスト噴霧装置は、ミストサウナ用の湯水を噴霧するミストノズルの先端が、機器ケーシングを下方から覆う前パネルに設けたノズル用開口孔に挿通されて浴室内に臨んで配置されたミスト噴霧装置であって、鉛直方向に形成されたノズル挿入口とこのノズル挿入口の外周外側に鉛直方向に形成されたネジ孔とを具備するノズルホルダを、前記機器ケーシング内に水平方向に移動可能に備えると共に、前記ミストノズルにはその先端部より大径に構成されたノズル基部が形成され、前記ノズル挿入口に挿入された前記ノズル基部が、前記ネジ孔に螺入された固定ネジによって前記ノズル挿入口に係止されて、前記ミストノズルが前記ノズルホルダに止着され、前記前パネルには、前記機器ケーシングの下方から前記前パネルを前記機器ケーシングに接近させたときに前記ミストノズルの先端の前記ノズル用開口孔への挿通を誘導する挿通ガイド部を、前記ノズル用開口孔の周囲に備えた点を特徴とする。
【０００８】
本発明によれば、容易な作業でミストノズルを機器ケーシング内に備えるノズルホルダに固定することが出来る。つまり、機器ケーシング内に備えるノズルホルダに形成されたノズル挿入口は鉛直方向に形成されたものであり、ノズル挿入口の外周外側に形成されたネジ孔も鉛直方向に形成されたものであるから、ミストノズルの先端部より大径に構成されたノズル基部をノズル挿入口に挿入した後、固定ネジによってノズル基部をノズル挿入口に係止するために固定ネジをノズル挿入口の外周外側に形成されたネジ孔に螺入する際にもドライバーなどの工具を鉛直姿勢にて適正にネジ止め作業が行えることになり、固定ネジの中心軸と上記固定用ネジ孔の中心軸とを一致させるために特に熟練を必要とせず容易にミストノズルを機器ケーシング内に備えるノズルホルダに固定することが出来る。
【０００９】
なお、ミストノズルの先端を、機器ケーシングを下方から覆う前パネルに設けたノズル用開口孔から浴室内に臨んで配置したミスト噴霧装置の場合、ノズルホルダに具備するノズル挿入口およびこのノズル挿入口の周囲のネジ孔は、ノズルホルダにおいて下方から上方に向けて鉛直方向に形成されることになるため、当該ミスト噴霧装置の製造過程においては、機器ケーシングを天地反転させた機器ケーシングの上下反転姿勢にて、ミストノズルの先端部より大径に構成されたノズル基部をノズル挿入口に挿入した後、固定ネジによってノズル基部をノズル挿入口に係止するために固定ネジをノズル挿入口の外周外側に形成されたネジ孔に螺入することが合理的であるから、電気ドライバーなどの工具の先端を下に向けた鉛直姿勢にてネジ止め作業が行えることになり、適正にネジ止め作業を行うための望ましい作業態様となる。
【００１０】
また、ノズル挿入口とこのノズル挿入口の外周外側に鉛直方向に形成されたネジ孔とを具備するノズルホルダを、前記機器ケーシング内に水平方向に移動可能に備え、前記前パネルには、前記機器ケーシングの下方から前記前パネルを前記機器ケーシングに接近させたときに前記ミストノズルの先端の前記ノズル用開口孔への挿通を誘導する挿通ガイド部を前記ノズル用開口孔の周囲に備えるものであるから、ミストノズルの先端の水平方向位置とノズル用開口孔の水平方向位置とが製造バラツキなどに起因して相対的にずれている場合であっても、前パネルを機器ケーシングに装着する際に、機器ケーシングの下方から前パネルを機器ケーシングに接近させたときにノズルホルダに止着されたミストノズルが挿通ガイド部に誘導されて、ノズルホルダに止着されたミストノズルがノズルホルダと共に水平方向に移動してミストノズルの先端の水平方向位置とノズル用開口孔の水平方向位置との相対位置が適正な位置となるように補正されることになり、前パネルの機器ケーシングへの取り付けが容易に行える。
【００１１】
この場合、上述のように、前パネルを機器ケーシングに装着する際に、機器ケーシングの下方から前パネルを機器ケーシングに接近させたときにノズルホルダに止着されたミストノズルが挿通ガイド部に誘導されるものであるから、ミストノズルの外径とノズル用開口孔の内径が近接しておりミストノズルの外周とノズル用開口孔の内周縁との隙間が狭い場合であっても前パネルの機器ケーシングへの取り付けが容易に行えることになり、ミストノズルの外周とノズル用開口孔の内周縁との隙間を狭くすることで前パネルに設けたノズル用開口孔が目立ち難い美麗な意匠とすることができる。
【００１２】
要するに、本発明によって、容易な作業でミストノズルを機器ケーシング内に備えるノズルホルダに固定でき、しかも、前パネルの機器ケーシングへの取り付けが容易に行え、さらに、前パネルに設けたノズル用開口孔が目立ち難い美麗な意匠としたミスト噴霧装置とすることができる。
【００１３】
また、前記ミストノズルが前記ノズル用開口孔を挿通する箇所における、前記ミストノズルの底面視断面形状が、前記ノズル用開口孔の底面視形状と相似であることが好ましい。
【００１４】
このように構成した場合、ミストノズルの外周とノズル用開口孔の内周縁との隙間が、均一にノズル用開口孔の内周縁の内側に均一に形成されることになり、前パネルに設けたノズル用開口孔が一層目立ち難い一層美麗な意匠とすることができる。
【００１５】
また、  前記ミストノズルが前記ノズル用開口孔を挿通する箇所において、前記ミストノズルと前記ノズル用開口孔の周縁との隙間が、前記前パネルの板厚より小さいことが好ましい。
【００１６】
このように構成することで、前パネルに設けたノズル用開口孔が一層目立ち難い一層美麗な意匠とすることができる。
【００１７】
つまり、ミストノズルがノズル用開口孔を挿通する箇所において、ミストノズルとノズル用開口孔の周縁との隙間が、前パネルの板厚より小さいから、鉛直方向に対して４５度傾斜した斜め下方からミストノズル周辺を観察した場合にも、ミストノズルとノズル用開口孔の周縁との隙間から機器ケーシング内部が視認できず、ミストノズルとノズル用開口孔の周縁との隙間からはミストノズルの外側面とノズル用開口孔の周縁端面が視認できるのみであることになり、前パネルに設けたノズル用開口孔が一層目立ち難い一層美麗な意匠とすることができる。
【００１８】
また、前記ノズル挿入口に挿入された前記ノズル基部が、前記固定ネジのネジ頭によって前記ノズル挿入口に係止されて、前記ミストノズルが前記ノズルホルダに止着されることも好ましい。
【００１９】
このように構成することで、ミストノズルをノズルホルダに止着するためには、固定ネジ以外の固定金具などの部品を必要としないから、部品点数の増加が抑制できるものであり、製造コストの増加が抑制される。
【発明の効果】
【００２０】
本発明によれば、容易な作業でミストノズルを機器ケーシング内に備えるノズルホルダに固定でき、しかも、前パネルの機器ケーシングへの取り付けが容易に行え、さらに、前パネルに設けたノズル用開口孔が目立ち難い美麗な意匠としたミスト噴霧装置とすることができる。
また、前パネルに設けたノズル用開口孔が一層目立ち難い一層美麗な意匠とすることができる。
さらに、部品点数の増加が抑制でき、製造コストの増加が抑制されたミスト噴霧装置とすることができる。
【図面の簡単な説明】
【００２１】
【図１】実施形態１の浴室装置の分解斜視図である。
【図２】実施形態１の浴室の全体斜視図である。
【図３】実施形態１の浴室装置の概略側断面図である。
【図４】実施形態１の装置本体の底面図である。
【図５】実施形態１の前パネルの斜視図である。
【図６】実施形態１のノズルホルダ、ミストノズル、挿通ガイド部の斜め上方から見た要部断面図である。
【図７】実施形態１のノズルホルダ、ミストノズル、挿通ガイド部の正面から見た要部断面図である。
【図８】実施形態１のノズルホルダの正面から見た要部断面図である。
【図９】別実施形態のノズルホルダ、ミストノズル、挿通ガイド部の正面から見た要部断面図である。
【発明を実施するための形態】
【００２２】
以下、本発明の実施形態について添付図面に基づいて説明する。
【００２３】
実施形態１の浴室装置１は、浴室の天井９に取り付けられる、ミスト機能付き浴室暖房乾燥機である。
【００２４】
浴室は、天井９を有し、天井９は、浴室の天井板９１の下面により構成され、図２に示されるように、浴室には浴槽９４が設けられている。なお、浴室は浴槽９４が設置されているものに限定されず、シャワールームであってもよい。
【００２５】
浴室装置１は、図１に示されるように、その下面が浴室内に臨むようにして配置される。浴室装置１は、天井スラブに固定された吊り金具９３を介して、吊り下げられている。
浴室装置１は、装置本体２と、前パネル４とを備えている。
【００２６】
装置本体２は、機器ケーシング２１と、機能部３とを備えている。機器ケーシング２１は、下方に向かって開口した箱形状をしている。機器ケーシング２１の開口周縁には、フランジ部２２が設けられている。機器ケーシング２１は、装置本体２の外郭を形成する。機能部３は、図３に示されるように、暖房部３１と、換気部３２と、ミスト発生部３３とを備えている。機能部３は、機器ケーシング２１内に収容配置されている。
【００２７】
暖房部３１は、温風用熱交換器３１１と、循環流路３１２と、循環ファン３１３とを備えている。循環流路３１２は、吸込み口３１４と、吹き出し口３１５とを有している。吸込み口３１４と吹き出し口３１５とは、浴室内に臨んでいる。循環ファン３１３は、循環流路３１２内の空気を通流させる。温風用熱交換器３１１は、循環流路３１２内に配置されている。温風用熱交換器３１１は、熱源機７（図２参照）との間で熱媒が循環するよう暖房配管に接続されている。温風用熱交換器３１１は、循環流路３１２内を通流する空気
と熱交換を行なう。これにより、暖房部３１は、吸込み口３１４から浴室内の空気を装置本体２内に取り込み、取り込んだ空気を温風用熱交換器３１１により加熱した上で、その温風を吹き出し口３１５から浴室内に吹き出す。
【００２８】
なお、吹き出し口３１５は、可動ルーバ３１６に設けられている。可動ルーバ３１６は、支持体３１７に回動自在に支持されている。支持体３１７は、機器ケーシング２１内に固定されている。
【００２９】
換気部３２は、換気ファン３２１と、排出路３２２とを備えている。排出路３２２は、吸込み口３２３と、排出部３２４とを備えている。吸込み口３２３は浴室内に臨んでいる。排出部３２４は、外部に連通している。換気ファン３２１は、排出路３２２内の空気を通流させる。換気部３２は、吸込み口３２３から浴室内の湿った空気を装置本体２内に取り込んだ上で、排出部３２４から外部に排出する。
【００３０】
ミスト発生部３３は、ミスト用熱交換器３３１と、配管部３３２と、ミストノズル３３３と、ミスト用弁３３４とを備えている。配管部３３２は、給水管とミストノズル３３３とを接続する。ミストノズル３３３の先端は、前パネル４に設けたノズル用開口孔４４（図５、図６、図７参照。）から浴室内に臨んで配置されている。ミスト用熱交換器３３１は、熱源機７との間で熱媒が循環するよう暖房配管に接続されている。ミスト用熱交換器３３１は、配管部３３２を流通する水と熱交換を行なう。ミスト用弁３３４は、配管部３３２においてミストノズル３３３のすぐ上流側に接続されている。ミスト用弁３３４は、例えば、熱動弁により構成されている。これによりミスト発生部３３は、浴室内に温水ミストを噴出する。
【００３１】
装置本体２には、図４に示されるように、複数の取付部２３が設けられている。取付部２３は、固着具５を介して前パネル４を取り付けるために設けられている。取付部２３は、雌ねじ部２４を有している。雌ねじ部２４の中心軸は、上下方向に平行となっている。雌ねじ部２４は下方に開口している。この取付部２３は、例えば、機器ケーシング２１の側面、及び支持体３１７に設けられている。
【００３２】
前パネル４は、装置本体２を構成する機器ケーシング２１の下方に配置される。前パネル４は、図５に示されるように、平面視矩形状をしている。前パネル４は、吸込み用開口４１と、吹き出し用開口４２とを備えている。吸込み用開口４１は、前パネル４が装置本体２に取り付けられると、暖房部３１の吸込み口３１４や換気部３２の吸込み口３２３に連通する。吹き出し用開口４２は、前パネル４が装置本体２に取り付けられると、装置本体２の吹き出し口３１５に連通する。
【００３３】
前パネル４は、固着具挿通孔４３を有している。固着具挿通孔４３は、装置本体２の取付部２３の雌ねじ部２４に対応する箇所に設けられている。図１に示されるように、固着具挿通孔４３には固着具５が挿通される。前パネル４は、装置本体２の下方に配置された状態で、固着具挿通孔４３に固着具５が挿通される。固着具５は、前パネル４の固着具挿通孔４３に挿通された状態で、雌ねじ部２４にねじ込まれる。これにより、前パネル４は、天井９に沿った状態で、装置本体２に取り付けられる。つまり、前パネル４は、天井９に沿った状態で前記装置本体２の下方に配置され、機器ケーシング２１を下方から覆う。
【００３４】
本実施形態の浴室装置１において、図６、図７に示すように、ミストノズル３３３は、機器ケーシング２１内に備えるノズルホルダ０７に止着されている。ノズルホルダ０７には下方から上方に向けて鉛直方向ノズル挿入口７１が形成されており、ノズル挿入口７１の外周外側にはミストノズル３３３止着用のネジ孔７２（図示せず）が下方から上方に向け鉛直方向に形成されている。
【００３５】
このように、ノズル挿入口７１の外周外側にはミストノズル３３３止着用のネジ孔７２（図示せず）が下方から上方に向け鉛直方向に形成されていることで、浴室装置１の製造過程において、機器ケーシング２１を天地反転させた機器ケーシング２１の上下反転姿勢にて、ミストノズル３３３の先端部より大径に構成されたノズル基部３４をノズル挿入口７１に挿入した後、固定ネジ７３のネジ頭７４によってノズル基部３４をノズル挿入口７１における所定位置に係止するために固定ネジ７３をノズル挿入口７１の外周外側に形成されたネジ孔７２（図示せず）に螺入する合理的な工法によって浴室装置１を製造する場合、電気ドライバーなどの工具の先端を下に向けた鉛直姿勢にてネジ止め作業が行えることになり、適正にネジ止め作業を行うための望ましい作業態様とすることが可能である。
【００３６】
また、図７に示すように、ミストノズル３３３にはその先端部より大径に構成されたノズル基部３４が形成されており、ノズル挿入口７１に挿入されたノズル基部３４が、ネジ孔７２（図示せず）に螺入された固定ネジ７３のネジ頭７４によって前記ノズル挿入口７１における所定位置に係止されて、前記ミストノズル３３３が前記ノズルホルダ０７に止着されており、ミストノズルをノズルホルダ０７に止着するために、固定ネジ以外の固定金具などの部品を用いていない。
【００３７】
なお、ノズル基部３４の側面に、ノズル基部３４の側面とノズル挿入口７１の内周面との間をシールするシール部材３６を備え、ノズル基部３４の側面とノズル挿入口７１の内周面との間のシールが維持されるように構成されている。
【００３８】
また、図５、図６、図７に示すように、前パネル４には、機器ケーシング２１の下方から前パネル４を機器ケーシング２１に接近させたときにミストノズル３３３の先端のノズル用開口孔４４への挿通を誘導する挿通ガイド部８２をノズル用開口孔４４の周囲に前パネル４から上方に突設させて備えている。
【００３９】
また、図８に示すように、ノズルホルダ０７にはノズルホルダフランジ７７を備え、機器ケーシング２１内に具備するノズルホルダ固定板７６にノズルホルダフランジ７７が特殊ネジ７８によって止着されている。特殊ネジ７８にはノズルホルダフランジ７７の厚みより長い大径部７９を備え、特殊ネジ７８がノズルホルダフランジ７７に穿設した特殊ネジ７８用の特殊ネジ挿通孔８７に挿通してノズルホルダ固定板７６に締結されたときにも、大径部７９の端部がノズルホルダ固定板７６に当接することで、ノズルホルダフランジ７７は特殊ネジ７８によってノズルホルダ固定板７６に強くは固定されず、図８（ａ）及び図８（ｂ）に示すように、ノズルホルダフランジ７７が水平方向に移動可能であり、これに伴いノズルホルダ０７が機器ケーシング２１内において水平方向に移動可能に構成されている。
【００４０】
そして上述のように、挿通ガイド部８２を備えていることで、機器ケーシング２１の下方から前パネル４を機器ケーシング２１に接近させたときに、ストノズル３３３の先端とノズル用開口孔４４が多少ずれている場合であっても、ミストノズル３３３の先端は水平方向に移動可能で、ミストノズル３３３の先端の水平方向の位置が挿通ガイド部８２によって誘導されることで適正位置に補正される、つまり、ミストノズル３３３の先端がノズル用開口孔４４に挿通されることが挿通ガイド部８２によってガイドされ誘導されるから、前パネル４の機器ケーシング２１への取り付けが容易に行える。
【００４１】
また、ノズル用開口孔４４の底面視の形状は円形であり、ミストノズル３３３がノズル用開口孔４４を挿通している箇所における、ミストノズル３３３の底面視断面形状も円形としてあり、ノズル用開口孔４４の底面視形状と相似であり、パネル４に設けたノズル用開口孔４４が目立ち難いようにしてある。
【００４２】
さらに、ミストノズル３３３がノズル用開口孔４４を挿通する箇所において、ミストノズル３３３とノズル用開口孔４４の周縁との隙間は、前パネル４の板厚より小さく構成してあり、使用者が、鉛直方向に対して４５度傾斜した斜め下方からミストノズル３３３の周辺を観察した場合にも、ミストノズル３３３とノズル用開口孔４４の周縁との隙間から機器ケーシング２１内部が視認できず、ミストノズル３３３とノズル用開口孔４４の周縁との隙間からはミストノズル３３３の外側面とノズル用開口孔４４の周縁端面が視認できるのみであるようにしてある。
【００４３】
以下、別実施形態を列挙する。
実施形態１においては、ノズル挿入口７１に挿入されたノズル基部３４が、ネジ孔７２（図示せず）に螺入された固定ネジ７３のネジ頭７４によってノズル挿入口７１における所定位置に係止されて、ミストノズル３３３がノズルホルダ０７に止着されるように構成されているが、固定ネジ７３に加えて別途固定金具などの部品を用いて、固定ネジ７３をネジ孔７２に螺入してこの固定金具をノズルホルダ０７に固定して、この固定金具によってミストノズル３３３がズルホルダ０７に止着されるように構成してもよい。
【００４４】
実施形態１においては、機器ケーシング２１の下方から前パネル４を機器ケーシング２１に接近させたときにミストノズル３３３の先端のノズル用開口孔４４への挿通を誘導する挿通ガイド部８２をノズル用開口孔４４の周囲に前パネル４から上方に突設させて備えているが、挿通ガイド部８２をノズル用開口孔４４の周囲に前パネル４から上方に突設させて備えるのではなく、図９に示すように、ノズル用開口孔４４の周縁を上に行くほど径外方向に傾斜させた傾斜面としておき、この傾斜面を挿通ガイド部８２とするように構成してもよい。
【符号の説明】
【００４５】
１      浴室装置
２      装置本体
２１    機器ケーシング
２３    取付部
２４    雌ねじ部
３３３  ミストノズル
３４    ノズル基部
３６    シール部材
４      前パネル
４３    固着具挿通孔
４４    ノズル用開口孔
５      固着具
０７    ノズルホルダ
７１    ノズル挿入口
７２    ネジ孔
７３    固定ネジ
７４    ネジ頭
７６    ノズルホルダ固定板
７７    ノズルホルダフランジ
７８    特殊ネジ
７９    大径部
８１    ネジ緩み規制部
８２    挿通ガイド部
８７    特殊ネジ挿通孔
【図２】
2014045923.tif 000003
【図７】
2014045923.tif 000004
【図８】
2014045923.tif 000005
【図９】
2014045923.tif 000006
【図１】
2014045923.tif 000007
【図３】
2014045923.tif 000008
【図４】
2014045923.tif 000009
【図５】
2014045923.tif 000010
【図６】
2014045923.tif 000011